(57)【要約】  本開示の実施例は、マルチキャリアシステムにおけるビーム障害回復方法及び装置を提供し、通信技術分野に係る。該方法は、ユーザ機器ＵＥに応用されるものであって、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信することと、前記ネットワーク側機器からビーム障害回復要求応答メッセージを受信することとを含む。【選択図】図１
2021524196.tif 000002
【特許請求の範囲】
【請求項１】
ユーザ機器ＵＥに応用されるマルチキャリアシステムにおけるビーム障害回復方法であって、
第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信することと、
前記ネットワーク側機器からビーム障害回復要求応答メッセージを受信することとを含む、マルチキャリアシステムにおけるビーム障害回復方法。
【請求項２】
前記第１ビーム障害回復要求メッセージは、前記第１セルでビーム障害イベントが発生した帯域幅部分ＢＷＰを指示するための第２指示情報を更に含む、請求項１に記載のビーム障害回復方法。
【請求項３】
前記第１指示情報は、前記第１セルのインデックス情報である、請求項１に記載のビーム障害回復方法。
【請求項４】
前記第２指示情報は、前記第１セルでビーム障害イベントが発生したＢＷＰのインデックス情報である、請求項２に記載のビーム障害回復方法。
【請求項５】
前記第１リソースは、前記マルチキャリアシステムの複数のキャリアに対応する複数のセルから形成されるセル群である第１セル群の少なくとも１つのセルにおける上りリソースである、請求項１に記載のビーム障害回復方法。
【請求項６】
前記第１リソースは、前記マルチキャリアシステムの複数のキャリアに対応する複数のセルから形成されるセル群である第１セル群のうち、物理上り制御チャネルＰＵＣＣＨリソース及び／又は物理ランダムアクセスチャネルＰＲＡＣＨリソースが設定されたセルである設定セルの帯域幅部分ＢＷＰのうち少なくとも１つにおける上りリソースである、請求項１に記載のビーム障害回復方法。
【請求項７】
前記第１リソースは、前記第１指示情報を搬送するための第１シグナリング領域を含み、
又は、
前記第１リソースは、前記第１指示情報を搬送するための第１シグナリング領域と、ビーム障害イベントが発生したことを指示するための第３指示情報を搬送するための第２シグナリング領域を含む、請求項１に記載のビーム障害回復方法。
【請求項８】
前記第１リソースは、前記第１指示情報を搬送するための第１シグナリング領域と、前記第２指示情報を搬送するための第３シグナリング領域を含み、
又は、
前記第１リソースは、前記第１指示情報を搬送するための第１シグナリング領域と、ビーム障害イベントが発生したことを指示するための第３指示情報を搬送するための第２シグナリング領域と、前記第２指示情報を搬送するための第３シグナリング領域を含む、請求項２に記載のビーム障害回復方法。
【請求項９】
前記第１シグナリング領域、第２シグナリング領域及び第３シグナリング領域のうちの少なくとも１つは、予約シグナリング領域である、請求項７又は８に記載のビーム障害回復方法。
【請求項１０】
前記第１シグナリング領域、第２シグナリング領域及び第３シグナリング領域のうちの少なくとも１つは、スケジューリング要求ＳＲを搬送するためにも使用される、請求項７又は８に記載のビーム障害回復方法。
【請求項１１】
第１リソースでネットワーク側機器に第１ビーム障害回復要求を送信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ネットワーク側機器から受信することと、
前記第２リソースが存在するセル情報及び／又はＢＷＰ情報に基づいて、前記マルチキャリアシステムの各キャリアのＢＦＤ  ＲＳを検出することとを更に含む、請求項１〜８のいずれか一項に記載のビーム障害回復方法。
【請求項１２】
ネットワーク側機器に応用されるマルチキャリアシステムにおけるビーム障害回復方法であって、
ユーザ機器ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信することと、
前記第１指示情報に基づいて前記第１セルを決定し、前記第１セルに基づいて、ビーム障害回復要求応答メッセージを前記ユーザ機器ＵＥに送信することとを含む、マルチキャリアシステムにおけるビーム障害回復方法。
【請求項１３】
前記第１ビーム障害回復要求メッセージは、前記第１セルでビーム障害イベントが発生した帯域幅部分ＢＷＰを指示するための第２指示情報を更に含み、
前記第２指示情報に基づいて、前記第１セルでビーム障害イベントが発生したＢＷＰを決定することと、
前記第１セルでビーム障害イベントが発生したＢＷＰに基づいて、ビーム障害回復要求応答メッセージを前記ユーザ機器ＵＥに送信することとを更に含む、請求項１２に記載のビーム障害回復方法。
【請求項１４】
ユーザ機器ＵＥから第１リソースで送信された第１ビーム障害回復要求を受信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ユーザ機器ＵＥに送信することを更に含む、請求項１２又は１３に記載のビーム障害回復方法。
【請求項１５】
ユーザ機器ＵＥに応用されるマルチキャリアシステムにおけるビーム障害回復方法であって、
第１セルに対応するキャリアでビーム障害イベントが発生したと決定し、且つビーム障害回復要求送信のトリガ条件を満たす場合、前記第１セルに一義的に対応する第１リソースで第１ビーム障害回復要求メッセージをネットワーク側機器に送信することと、
前記ネットワーク側機器からビーム障害回復要求応答メッセージを受信することとを含む、マルチキャリアシステムにおけるビーム障害回復方法。
【請求項１６】
第１リソースでネットワーク側機器に第１ビーム障害回復要求を送信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ネットワーク側機器から受信することと、
前記第２リソースが存在するセル情報及び／又はＢＷＰ情報に基づいて、前記マルチキャリアシステムの各キャリアのＢＦＤ  ＲＳを検出することとを更に含む、請求項１５に記載のビーム障害回復方法。
【請求項１７】
ネットワーク側機器に応用されるマルチキャリアシステムにおけるビーム障害回復方法であって、
ユーザ機器ＵＥから、ビーム障害イベントが発生したキャリアに対応するセルである第１セルに一義的に対応する第１リソースで送信された第１ビーム障害回復要求メッセージを受信することと、
前記第１リソースに基づいて前記第１セルを決定し、前記第１セルに基づいて、ビーム障害回復要求応答メッセージを前記ユーザ機器ＵＥに送信することとを含む、マルチキャリアシステムにおけるビーム障害回復方法。
【請求項１８】
ユーザ機器ＵＥから第１リソースで送信された第１ビーム障害回復要求を受信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ユーザ機器ＵＥに送信することを更に含む、請求項１７に記載のビーム障害回復方法。
【請求項１９】
ユーザ機器ＵＥに応用されるマルチキャリアシステムにおけるビーム障害回復方法であって、
第１帯域幅部分ＢＷＰに対応するキャリアでビーム障害イベントが発生したと決定し、且つビーム障害回復要求送信のトリガ条件を満たす場合、前記第１帯域幅部分ＢＷＰに一義的に対応する第１リソースで第１ビーム障害回復要求メッセージをネットワーク側機器に送信することと、
前記ネットワーク側機器からビーム障害回復要求応答メッセージを受信することとを含む、マルチキャリアシステムにおけるビーム障害回復方法。
【請求項２０】
第１リソースでネットワーク側機器に第１ビーム障害回復要求を送信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ネットワーク側機器から受信することと、
前記第２リソースが存在するセル情報及び／又はＢＷＰ情報に基づいて、前記マルチキャリアシステムの各キャリアのＢＦＤ  ＲＳを検出することとを更に含む、請求項１９に記載のビーム障害回復方法。
【請求項２１】
ネットワーク側機器に応用されるマルチキャリアシステムにおけるビーム障害回復方法であって、
ユーザ機器ＵＥから、第１ＢＷＰに一義的に対応する第１リソースで送信された第１ビーム障害回復要求メッセージを受信することと、
前記第１リソースに基づいて前記第１ＢＷＰを決定し、前記第１ＢＷＰに基づいて、ビーム障害回復要求応答メッセージを前記ユーザ機器ＵＥに送信することとを含む、マルチキャリアシステムにおけるビーム障害回復方法。
【請求項２２】
ユーザ機器ＵＥから第１リソースで送信された第１ビーム障害回復要求を受信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ユーザ機器ＵＥに送信することを更に含む、請求項２１に記載のビーム障害回復方法。
【請求項２３】
第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信する送信ユニットと、
前記ネットワーク側機器からビーム障害回復要求応答メッセージを受信する受信ユニットとを含む、ユーザ機器ＵＥ。
【請求項２４】
ユーザ機器ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信する受信ユニットと、
前記第１指示情報に基づいて前記第１セルを決定する処理ユニットと、
前記第１セルに基づいて、ビーム障害回復要求応答メッセージを前記ユーザ機器ＵＥに送信する送信ユニットとを含む、ネットワーク側機器。
【請求項２５】
第１セルに対応するキャリアでビーム障害イベントが発生したと決定し、且つビーム障害回復要求送信のトリガ条件を満たす場合、前記第１セルに一義的に対応する第１リソースで第１ビーム障害回復要求メッセージをネットワーク側機器に送信する送信ユニットと、
前記ネットワーク側機器からビーム障害回復要求応答メッセージを受信する受信ユニットとを含む、ユーザ機器ＵＥ。
【請求項２６】
ユーザ機器ＵＥから、ビーム障害イベントが発生したキャリアに対応するセルである第１セルに一義的に対応する第１リソースで送信された第１ビーム障害回復要求メッセージを受信する受信ユニットと、
前記第１リソースに基づいて前記第１セルを決定する処理ユニットと、
前記第１セルに基づいて、ビーム障害回復要求応答メッセージを前記ユーザ機器ＵＥに送信する送信ユニットとを含む、ネットワーク側機器。
【請求項２７】
第１帯域幅部分ＢＷＰに対応するキャリアでビーム障害イベントが発生したと決定し、且つビーム障害回復要求送信のトリガ条件を満たす場合、前記第１帯域幅部分ＢＷＰに一義的に対応する第１リソースで第１ビーム障害回復要求メッセージをネットワーク側機器に送信する送信ユニットと、
前記ネットワーク側機器からビーム障害回復要求応答メッセージを受信する受信ユニットとを含む、ユーザ機器ＵＥ。
【請求項２８】
ユーザ機器ＵＥから、第１ＢＷＰに一義的に対応する第１リソースで送信された第１ビーム障害回復要求メッセージを受信する受信ユニットと、
前記第１リソースに基づいて前記第１ＢＷＰを決定する処理ユニットと、
前記第１ＢＷＰに基づいて、ビーム障害回復要求応答メッセージを前記ユーザ機器ＵＥに送信する送信ユニットとを含む、ネットワーク側機器。
【請求項２９】
プロセッサと、メモリと、前記メモリに格納されて前記プロセッサで動作可能なコンピュータプログラムを含むユーザ機器ＵＥであって、
前記コンピュータプログラムが前記プロセッサによって実行されると、請求項１〜１０、１５、１６、１９、２０のいずれか一項に記載のマルチキャリアシステムにおけるビーム障害回復方法のステップが実現される、ユーザ機器ＵＥ。
【請求項３０】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項１２〜１４、１７、１８、２１、２２のいずれか一項に記載のマルチキャリアシステムにおけるビーム障害回復方法のステップが実現される、ネットワーク側機器。
【請求項３１】
コンピュータプログラムが格納されているコンピュータ読み取り可能な記憶媒体であって、
前記コンピュータプログラムがプロセッサによって実行されると、請求項１〜２２のいずれか一項に記載のマルチキャリアシステムにおけるビーム障害回復方法のステップが実現される、コンピュータ読み取り可能な記憶媒体。
【発明の詳細な説明】
【技術分野】
【０００１】
（関連出願の相互参照）
本願は、２０１８年５月１６日に中国特許庁に提出された中国特許出願２０１８１０４７０３３１．Ｘの優先権を主張し、その全ての内容が援用によりここに取り込まれる。
本開示は、通信技術分野に係り、特にマルチキャリアシステムにおけるビーム障害回復（ｂｅａｍ  ｆａｉｌｕｒｅ  ｒｅｃｏｖｅｒｙ）方法及び装置に係る。
【背景技術】
【０００２】
高周波数帯通信システムでは、無線信号の波長が短いため、信号の遮断やユーザ機器ＵＥ（Ｕｓｅｒ  Ｅｑｕｉｐｍｅｎｔ）(以下、「ＵＥ」とすることがある)の移動などによる通信の中断が生じやすく、通信の中断が発生した場合にビーム障害回復（ｂｅａｍ  ｆａｉｌｕｒｅ  ｒｅｃｏｖｅｒｙ）により通信を回復する必要がある。
【０００３】
従来技術のビーム障害回復メカニズムの一般的なプロセスとして、以下のものがある。ＵＥは、物理レイヤで下りビーム上のビーム障害検出参照信号（ｂｅａｍ  ｆａｉｌｕｒｅ  ｄｅｔｅｃｔｉｏｎ  ｒｅｆｅｒｅｎｃｅ  ｓｉｇｎａｌ）をモニタすることにより、仮定（ｈｙｐｏｔｈｅｔｉｃａｌ）物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）ブロック誤り率（ＢＬＥＲ）を取得し、取得したｈｙｐｏｔｈｅｔｉｃａｌ  ＰＤＣＣＨ  ＢＬＥＲが所定閾値を超えていれば、その下りビームに障害が発生したと判断し、ＵＥが全てのｈｙｐｏｔｈｅｔｉｃａｌ  ＰＤＣＣＨビームに障害の発生を検出すると、ビーム障害イベント（ｂｅａｍ  ｆａｉｌｕｒｅ  ｅｖｅｎｔ）が発生したと決定する。ＵＥは、ビーム障害イベントが発生したと決定し且つビーム障害回復要求のトリガ条件を満たした場合、競合していないランダムアクセスチャネルＰＲＡＣＨ（Ｐｈｙｓｉｃａｌ  Ｒａｎｄｏｍ  Ａｃｃｅｓｓ  Ｃｈａｎｎｅｌ）に基づいてネットワーク側機器にビーム障害回復要求ＢＦＲＱ（ｂｅａｍ  ｆａｉｌｕｒｅ  ｒｅｃｏｖｅｒｙ  ｒｅｑｕｅｓｔ）を送信する。ネットワーク側機器は、ＵＥから送信されたＢＦＲＱを受信した後に、ＵＥに応答シグナリングを送信する。ＵＥは、基地局から送信された応答コマンドを受信すると、基地局から送信された応答コマンドに基づいてビーム障害回復を行う。しかしながら、マルチキャリアシステムでビーム障害が発生した場合、従来技術のビーム障害回復メカニズムでビーム障害回復を行うと、ネットワーク側機器は、ＵＥから送信されたＢＦＲＱを受信した後に、ビーム障害が発生したセル（Ｃｅｌｌ）に対応するキャリアを決定することができず、更に応答シグナリングをＵＥに送信することができない。従って、従来技術のビーム障害回復メカニズムは、マルチキャリアシステムに適しておらず、マルチキャリアシステムのキャリアでビーム障害イベントが発生した場合にビーム障害回復を効果的に行うことができない。
【発明の概要】
【発明が解決しようとする課題】
【０００４】
本開示の実施例は、マルチキャリアシステムのキャリアでビーム障害が発生した場合に、従来技術のビーム障害回復メカニズムではビーム障害回復を効果的に行うことができないという問題を解決するために、マルチキャリアシステムにおけるビーム障害回復方法及び装置を提供する。
【課題を解決するための手段】
【０００５】
第１態様として、本開示の実施例は、ＵＥに応用されるマルチキャリアシステムにおけるビーム障害回復方法を提供する。前記方法において、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信することと、前記ネットワーク側機器からビーム障害回復要求応答メッセージを受信することとを含む。
【０００６】
第２態様として、本開示の実施例は、ネットワーク側機器に応用されるマルチキャリアシステムにおけるビーム障害回復方法を提供する。前記方法において、ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信することと、前記第１指示情報に基づいて前記第１セルを決定し、前記第１セルに基づいて、ビーム障害回復要求応答メッセージを前記ＵＥに送信することとを含む。
【０００７】
上記実施例に係るマルチキャリアシステムにおけるビーム障害回復方法において、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信し、前記ネットワーク側機器からビーム障害回復要求応答メッセージを受信する。ＵＥがネットワーク側機器に送信するビーム障害回復要求には、ビーム障害イベントが発生したキャリアに対応するセルを指示することができる第１指示情報が含まれているので、ネットワーク側機器は、ビーム障害回復要求に含まれる第１指示情報に基づいて、ビーム障害イベントが発生したセルを決定し、更にビーム障害イベントが発生したセルに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【０００８】
第３態様として、本開示の実施例は、ＵＥに応用されるマルチキャリアシステムにおけるビーム障害回復方法を提供する。前記方法において、第１セルに対応するキャリアでビーム障害イベントが発生したと決定し、且つビーム障害回復要求送信のトリガ条件を満たす場合、前記第１セルに一義的に対応する第１リソースで第１ビーム障害回復要求メッセージをネットワーク側機器に送信することと、前記ネットワーク側機器からビーム障害回復要求応答メッセージを受信することとを含む。
【０００９】
第４態様として、本開示の実施例は、ネットワーク側機器に応用されるマルチキャリアシステムにおけるビーム障害回復方法を提供する。前記方法において、ユーザ機器ＵＥから、ビーム障害イベントが発生したキャリアに対応するセルである第１セルに一義的に対応する第１リソースで送信された第１ビーム障害回復要求メッセージを受信することと、前記第１リソースに基づいて前記第１セルを決定し、前記第１セルに基づいて、ビーム障害回復要求応答メッセージを前記ＵＥに送信することとを含む。
【００１０】
上記実施例に係るマルチキャリアシステムにおけるビーム障害回復方法において、第１セルに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１セルに一義的に対応するため、ネットワーク側機器は、ビーム障害回復要求メッセージを送信した第１リソースに基づいて、ビーム障害イベントが発生したセルを決定し、更にビーム障害イベントが発生したセルに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【００１１】
第５態様として、本開示の実施例は、ＵＥに応用されるマルチキャリアシステムにおけるビーム障害回復方法を提供する。前記方法において、第１ＢＷＰに対応するキャリアでビーム障害イベントが発生したと決定し、且つビーム障害回復要求送信のトリガ条件を満たす場合、前記第１ＢＷＰに一義的に対応する第１リソースで第１ビーム障害回復要求メッセージをネットワーク側機器に送信することと、前記ネットワーク側機器からビーム障害回復要求応答メッセージを受信することとを含む。
【００１２】
第６態様として、本開示の実施例は、ネットワーク側機器に応用されるマルチキャリアシステムにおけるビーム障害回復方法を提供する。前記方法において、ＵＥから、第１ＢＷＰに一義的に対応する第１リソースで送信された第１ビーム障害回復要求メッセージを受信することと、前記第１リソースに基づいて前記第１ＢＷＰを決定し、前記第１ＢＷＰに基づいて、ビーム障害回復要求応答メッセージを前記ＵＥに送信することとを含む。
【００１３】
上記実施例に係るマルチキャリアシステムにおけるビーム障害回復方法において、第１ＢＷＰに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１ＢＷＰに一義的に対応するため、ネットワーク側機器は、ビーム障害回復要求メッセージを送信した第１リソースに基づいて、ビーム障害イベントが発生したＢＷＰを決定し、更にビーム障害イベントが発生した第１ＢＷＰに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【００１４】
第７態様として、本開示の実施例は、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信する送信ユニットと、前記ネットワーク側機器からビーム障害回復要求応答メッセージを受信する受信ユニットとを含むＵＥを提供する。
【００１５】
第８態様として、本開示の実施例は、ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信する受信ユニットと、前記第１指示情報に基づいて前記第１セルを決定する処理ユニットと、前記第１セルに基づいて、ビーム障害回復要求応答メッセージを前記ＵＥに送信する送信ユニットとを含むネットワーク側機器を提供する。
【００１６】
第９態様として、本開示の実施例は、第１セルに対応するキャリアでビーム障害イベントが発生したと決定し、且つビーム障害回復要求送信のトリガ条件を満たす場合、前記第１セルに一義的に対応する第１リソースで第１ビーム障害回復要求メッセージをネットワーク側機器に送信する送信ユニットと、前記ネットワーク側機器からビーム障害回復要求応答メッセージを受信する受信ユニットとを含むＵＥを提供する。
【００１７】
第１０態様として、本開示の実施例は、ＵＥから、ビーム障害イベントが発生したキャリアに対応するセルである第１セルに一義的に対応する第１リソースで送信された第１ビーム障害回復要求メッセージを受信する受信ユニットと、前記第１リソースに基づいて前記第１セルを決定する処理ユニットと、前記第１セルに基づいて、ビーム障害回復要求応答メッセージを前記ＵＥに送信する送信ユニットとを含むネットワーク側機器を提供する。
【００１８】
第１１態様として、本開示の実施例は、第１帯域幅部分ＢＷＰに対応するキャリアでビーム障害イベントが発生したと決定し、且つビーム障害回復要求送信のトリガ条件を満たす場合、前記第１ＢＷＰに一義的に対応する第１リソースで第１ビーム障害回復要求メッセージをネットワーク側機器に送信する送信ユニットと、前記ネットワーク側機器からビーム障害回復要求応答メッセージを受信する受信ユニットとを含むＵＥを提供する。
【００１９】
第１２態様として、本開示の実施例は、ＵＥから、第１ＢＷＰに一義的に対応する第１リソースで送信された第１ビーム障害回復要求メッセージを受信する受信ユニットと、前記第１リソースに基づいて前記第１ＢＷＰを決定する処理ユニットと、前記第１ＢＷＰに基づいて、ビーム障害回復要求応答メッセージを前記ＵＥに送信する送信ユニットとを含むネットワーク側機器を提供する。
【００２０】
第１３態様として、本開示の実施例は、プロセッサと、メモリと、前記メモリに格納されて前記プロセッサで動作可能なコンピュータプログラムを含むＵＥを提供し、前記コンピュータプログラムが前記プロセッサによって実行されると、第１態様、第３態様又は第５態様に記載のマルチキャリアシステムにおけるビーム障害回復方法のステップが実現される。
【００２１】
第１４態様として、本開示の実施例は、プロセッサと、メモリと、前記メモリに格納されて前記プロセッサで動作可能なコンピュータプログラムを含むネットワーク側機器を提供し、前記コンピュータプログラムが前記プロセッサによって実行されると、第２態様、第４態様又は第６態様に記載のマルチキャリアシステムにおけるビーム障害回復方法のステップが実現される。
【００２２】
第１５態様として、本開示の実施例は、コンピュータプログラムが格納されているコンピュータ読み取り可能な記憶媒体を提供し、前記コンピュータプログラムがプロセッサによって実行されると、第１態様〜第６態様のいずれかに記載のマルチキャリアシステムにおけるビーム障害回復方法のステップが実現される。
【００２３】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２４】
【図１】本開示の実施例に係る通信システムの構造図である。
【図２】本開示の実施例に係るマルチキャリアシステムにおけるビーム障害回復方法のインタラクションその１である。
【図３】本開示の実施例に係るマルチキャリアシステムにおけるビーム障害回復方法のインタラクションその２である。
【図４】本開示の実施例に係るマルチキャリアシステムにおけるビーム障害回復方法のインタラクションその３である。
【図５】本開示の実施例に係るマルチキャリアシステムにおけるビーム障害回復方法のインタラクションその４である。
【図６】本開示の実施例に係るマルチキャリアシステムにおけるビーム障害回復方法のインタラクションその５である。
【図７】本開示の実施例に係るマルチキャリアシステムにおけるビーム障害回復方法のインタラクションその６である。
【図８】本開示の実施例に係るＵＥの構造図である。
【図９】本開示の実施例に係るＵＥのハードウェア構造図である。
【図１０】本開示の実施例に係るネットワーク側機器の構造図である。
【図１１】本開示の実施例に係るネットワーク側機器のハードウェア構造図である。
【発明を実施するための形態】
【００２５】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００２６】
本明細書で「及び／又は」とは、単に関連対象の関連関係を記述するものであり、３種類の関係が存在することを示す。例えば、Ａ及び／又はＢの場合、Ａのみが存在すること、ＡとＢが同時に存在すること、Ｂのみが存在することの３つの場合を示す。また、本明細書で「／」の文字は、一般的に、前後の関連対象が「又は」の関係であることを示す。式中の「／」は、前後の関連対象が「除算」の関係であることを示す。本明細書において「複数」は、特に断りのない限り、２つ以上を意味する。
【００２７】
本開示の実施例の技術手段を明確に説明するために、本開示の実施例において、「第１」、「第２」などの文言を用いて機能又は効果が実質的に同一である同一項目又は類似項目を区別する。当業者は、「第１」、「第２」などの文言によって数量及び実行順序を限定しないことを理解することができる。
【００２８】
本開示の実施例において、「例示的」又は「例えば」などの用語は、例、例証、又は説明を示すために使用される。「例示的」又は「例えば」として本開示の実施例に記載される任意の実施例又は設計は、他の実施例又は設計よりも好ましい又は有利であると解釈されるべきではない。むしろ、「例示的」又は「例えば」などの用語の使用は、関連概念を具体的に提示することを意図している。本開示の実施例において、「複数」とは、特に断りのない限り、２以上を意味する。
【００２９】
マルチキャリアシステムでビーム障害が発生すると、従来技術におけるビーム障害回復メカニズムによってビーム障害回復を行うと、ネットワーク側機器は、ＵＥから送信されたＢＦＲＱを受信した後に、ビーム障害が発生したセル（Ｃｅｌｌ）に対応するキャリアを決定することができず、更に、応答シグナリングをＵＥに送信することができない。従って、従来技術におけるビーム障害回復メカニズムは、マルチキャリアシステムに適しておらず、マルチキャリアシステムのキャリアでビーム障害イベントが発生した場合にビーム障害回復を行うことができない。
【００３０】
上記の問題に基づき、本開示の実施例は、以下の解決手段を提供する。
手段１：第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信し、前記ネットワーク側機器からビーム障害回復要求応答メッセージを受信する。ＵＥがネットワーク側機器に送信するビーム障害回復要求には、ビーム障害イベントが発生したキャリアに対応するセルを指示することができる第１指示情報が含まれているので、ネットワーク側機器は、ビーム障害回復要求に含まれる第１指示情報に基づいて、ビーム障害イベントが発生したセルを決定し、更にビーム障害イベントが発生したセルに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
手段２：第１セルに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１セルに一義的に対応するため、ネットワーク側機器は、ビーム障害回復要求メッセージを送信した第１リソースに基づいて、ビーム障害イベントが発生したセルを決定し、更にビーム障害イベントが発生したセルに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
手段３：第１ＢＷＰに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１ＢＷＰに一義的に対応するため、ネットワーク側機器は、ビーム障害回復要求メッセージを送信した第１リソースに基づいて、ビーム障害イベントが発生したＢＷＰを決定し、更にビーム障害イベントが発生した第１ＢＷＰに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【００３１】
本開示に係る技術手段は、例えば５Ｇ通信システム、今後の発展型システム又は複数の通信融合システムなど、様々なマルチキャリアシステム通信システムに応用可能である。例えばマシンツーマシンＭ２Ｍ（Ｍａｃｈｉｎｅ  ｔｏ  Ｍａｃｈｉｎｅ）、Ｄ２Ｍ、マクロマイクロ通信、ｅＭＢＢ（ｅｎｈａｎｃｅ  Ｍｏｂｉｌｅ  Ｂｒｏａｄｂａｎｄ）、ｕＲＬＬＣ（ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ）並びにｍＭＴＣ（Ｍａｓｓｉｖｅ  Ｍａｃｈｉｎｅ  Ｔｙｐｅ  Ｃｏｍｍｕｎｉｃａｔｉｏｎ）などの様々なアプリケーションシナリオが含まれる。これらのシナリオには、ＵＥとＵＥとの間の通信、ネットワーク側機器とネットワーク側機器との間の通信、又はネットワーク側機器とＵＥとの間の通信などのシナリオが含まれるが、これらに限定されない。本開示の実施例は、５Ｇ通信システムにおけるネットワーク側機器とＵＥとの間の通信、ＵＥとＵＥとの間の通信、又はネットワーク側機器とネットワーク側機器との間の通信に応用可能である。
【００３２】
図１は、本開示の実施例に係る通信システムの１つの可能な構造図である。図１に示すように、該通信システムは、ネットワーク側機器１１（図１ではネットワーク側機器を基地局として例示）と、少なくとも１つのＵＥ１２（図１では２つのＵＥを含むように例示）とを含む。ここで、ＵＥ１２は、無線アクセスネットワークＲＡＮ（Ｒａｄｉｏ  Ａｃｃｅｓｓ  Ｎｅｔｗｏｒｋ）を介してネットワーク側機器１１と通信し、ネットワーク側機器１１は、複数のキャリアを生成し、各キャリアがそれぞれ１つのセルに対応する。
【００３３】
また、上記ネットワーク側機器１１は、基地局、コアネットワーク機器、送受信ノードＴＲＰ（Ｔｒａｎｓｍｉｓｓｉｏｎ  ａｎｄ  Ｒｅｃｅｐｔｉｏｎ  Ｐｏｉｎｔ）、中継局又はアクセスポイントなどである。第１ネットワーク側機器１２及び／又は第２ネットワーク側機器１３は、グローバルシステムＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）又は符号分割多元接続ＣＤＭＡ（Ｃｏｄｅ  Ｄｉｖｉｓｉｏｎ  Ｍｕｌｔｉｐｌｅ  Ａｃｃｅｓｓ）ネットワークにおける基地局送受信局ＢＴＳ（Ｂａｓｅ  Ｔｒａｎｓｃｅｉｖｅｒ  Ｓｔａｔｉｏｎ）であってもよく、広帯域符号分割多元接続ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ＮｏｄｅＢ）であってもよく、ＬＴＥにおけるｅＮＢ又はｅＮｏｄｅＢ（ｅｖｏｌｕｔｉｏｎａｌ  ＮｏｄｅＢ）であってもよい。ネットワーク側機器１１は、クラウド無線アクセスネットワークＣＲＡＮ（Ｃｌｏｕｄ  Ｒａｄｉｏ  Ａｃｃｅｓｓ  Ｎｅｔｗｏｒｋ）シナリオ下の無線コントローラであってもよい。また、ネットワーク側機器１１は、５Ｇ通信システムにおけるネットワーク側機器であってもよいし、今後の発展型ネットワークにおけるネットワーク側機器であってもよい。
【００３４】
ＵＥ１２は、無線ＵＥであってもよい。該無線ＵＥとは、音声及び／又は他のサービスデータ接続性をユーザに提供する機器、無線接続機能を有する携帯機器、計算機器又は無線モデムに接続された他の処理機器、車載機器、ウェアラブルデバイス、将来の５ＧネットワークにおけるＵＥ又は将来の発展型ＰＬＭＮネットワークにおけるＵＥなどを指す。無線ＵＥは、無線アクセスネットワークＲＡＮ（Ｒａｄｉｏ  Ａｃｃｅｓｓ  Ｎｅｔｗｏｒｋ）を介して１つ又は複数のコアネットワークと通信可能である。無線ＵＥは、移動電話（又は「セルラー」電話と称される）などの移動端末、移動端末を有するコンピュータであってもよい。無線ＵＥは、たとえば、無線アクセスネットワークとは音声及び／又はデータのやり取りを行う携帯式、ポータブル式、ハンドヘルド式、コンピュータ内蔵式又は車載の移動装置、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器であってもよい。無線端末は、移動機器、ＵＥ端末、アクセス端末、無線通信機器、端末ユニット、端末局、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、遠隔局、リモート端末（Ｒｅｍｏｔｅ  Ｔｅｒｍｉｎａｌ）、契約ユニット（Ｓｕｂｓｃｒｉｂｅｒ  Ｕｎｉｔ）、契約局（Ｓｕｂｓｃｒｉｂｅｒ  Ｓｔａｔｉｏｎ）、ユーザエージェント（Ｕｓｅｒ  Ａｇｅｎｔ）、端末装置であってもよい。１つの例として、本開示の実施例において、図１では、端末を携帯電話で例示する。
【００３５】
（実施例１）
本発明の実施例は、マルチキャリアシステムにおけるビーム障害回復方法を提供し、具体的には、図２に示すように、以下のステップを含む。
【００３６】
Ｓ２０１において、ＵＥは、第１セルに対応するキャリアでビーム障害イベントが発生したと決定し、且つビーム障害回復要求送信のトリガ条件を満たす場合、第１ビーム障害回復要求メッセージを第１リソースでネットワーク側機器に送信する。
【００３７】
これに応じて、ネットワーク側機器は、ＵＥから第１リソースでネットワーク側機器に送信される第１ビーム障害回復要求メッセージを受信する。
【００３８】
ここで、前記第１ビーム障害回復要求は、前記第１セルを指示するための第１指示情報を含む。
【００３９】
なお、前記第１セルに対応するキャリアは、前記マルチキャリアシステムにおける１つのキャリアである。
【００４０】
具体的には、ＵＥは、物理レイヤにおいて、マルチキャリアシステムにおける各キャリアのビーム障害回復基準信号ＢＦＤ  ＲＳ（ｂｅａｍ  ｆａｉｌｕｒｅ  ｄｅｔｅｃｔｉｏｎ  ｒｅｆｅｒｅｎｃｅ  ｓｉｇｎａｌ）を測定し、あるキャリアのすべてのサービスビーム（ｓｅｒｖｉｎｇ  ｂｅａｍ）についてＢＦＤ  ＲＳの基準信号の受信電力ＲＳＲＰ（Ｒｅｆｅｒｅｎｃｅ  Ｓｉｇｎａｌ  Ｒｅｃｅｉｖｉｎｇ  Ｐｏｗｅｒ）、ブロック誤り率ＢＬＥＲ（Ｂｌｏｃｋ  Ｅｒｒｏｒ  Ｒａｔｉｏ）、基準信号受信品質ＲＳＲＱ（Ｒｅｆｅｒｅｎｃｅ  Ｓｉｇｎａｌ  Ｒｅｃｅｉｖｅｄ  Ｑｕａｌｉｔｙ）及び受信信号強度指示ＲＳＳＩ（Ｒｅｃｅｉｖｅｄ  Ｓｉｇｎａｌ  Ｓｔｒｅｎｇｔｈ  Ｉｎｄｉｃａｔｉｏｎ）のうちの１つ又は複数が所定条件を満たさないことを検出すると、該キャリアで１回のビーム障害イベントが発生したと決定する。
【００４１】
更に、ビーム障害回復要求送信のトリガ条件は、具体的には、ＵＥがビーム障害イベントの発生を決定すると、ＵＥの物理レイヤがメディアアクセス制御ＭＡＣ（Ｍｅｄｉａ  Ａｃｃｅｓｓ  Ｃｏｎｔｒｏｌ）レイヤにビーム障害インスタンス（ｂｅａｍ  ｆａｉｌｕｒｅ  ｉｎｓｔａｎｃｅ）を１回報告し、物理レイヤから報告された指示をＭＡＣレイヤがカウンタ（ｃｏｕｎｔｅｒ）を用いてカウントし、カウンタのカウント数が所定の最大回数に達すると、ＵＥがネットワーク側機器にビーム障害回復要求を送信することをトリガする。
【００４２】
任意選択で、前記第１指示情報は、前記第１セルのインデックス情報である。
【００４３】
例えば、セル群（ｃｅｌｌ  ｇｒｏｕｐ）には８セルあり、そのうち、１つは、プライマリセルＰＣｅｌｌ（Ｐｒｉｍａｒｙ  Ｃｅｌｌ）で、他の７つは、セカンダリセルＳＣｅｌｌ（Ｓｅｃｏｎｄａｒｙ  Ｃｅｌｌ）であり、ＳＣｅｌｌのインデックスは、１から７までである。ＰＣｅｌｌでビーム障害イベントが発生すると、ＵＥは、第１リソースでＢＦＲＱを報告し、ＢＦＲＱにはＰＣｅｌｌのインデックス（ｉｎｄｅｘ）情報が搬送され、又はＢＦＲＱに搬送されるインデックス情報を省略し、ＰＣｅｌｌでビーム障害イベントが発生したことをデフォルトにする。あるＳＣｅｌｌでビーム障害イベントが発生すると、ＵＥは、第１リソースでＢＦＲＱを報告し、ＢＦＲＱには、ビーム障害イベントが発生したＳＣｅｌｌのインデックス（ｉｎｄｅｘ）情報が搬送され、又はＢＦＲＱに搬送されたインデックス情報を省略し、ＢＦＲＱを送信した第１リソースが属するＳＣｅｌｌでビーム障害イベントが発生したことをデフォルトにする。
【００４４】
任意選択で、第１セルが第１セル所属セル群におけるＰｃｅｌｌである場合、ＢＦＲＱを送信する第１リソースは、第１セルにおける上りリソースである。第１セルが第１セル所属セル群におけるＳｃｅｌｌである場合、ＢＦＲＱを送信可能な上りリソースが第１セルに設定されているか否かを確認し、ＢＦＲＱを送信可能な上りリソースが第１セルに設定されている場合、第１セルに設定されたＢＦＲＱを送信する上りリソースを上記第１リソースとして、前記ＢＦＲＱを送信する。ＢＦＲＱを送信可能な上りリソースが第１セルに設定されていない場合、第１セル所属セル群におけるＰｃｅｌｌにおける上りリソースを上記第１リソースとし、第１セル所属セル群におけるＰｃｅｌｌにおける上りリソースで前記ＢＦＲＱを送信する。
【００４５】
任意選択で、第１リソースは、第１セル所属セル群のＰｃｅｌｌにおける上りリソースであってもよい。即ち、第１セルが第１セル所属セル群におけるＰｃｅｌｌ又はＳｃｅｌｌであるか否かに関わらず、第１セル所属セル群におけるＰｃｅｌｌにおける上りリソースでＢＦＲＱを送信する。
【００４６】
Ｓ２０２において、ネットワーク側機器は、前記第１指示情報に基づいて前記第１セルを決定する。
【００４７】
即ち、ネットワーク側機器は、ＢＦＲＱに搬送された第１指示情報に基づいて、ビーム障害イベントが発生したセルがどのセルであるかを確認することができる。
【００４８】
Ｓ２０３において、ネットワーク側機器は、前記第１セルに基づいて、ビーム障害回復要求応答メッセージを前記ＵＥに送信する。
【００４９】
これに応じて、前記ＵＥは、ビーム障害回復要求応答メッセージを前記ネットワーク側機器から受信する。
【００５０】
なお、本発明の実施例において、ネットワーク側機器からビーム障害回復要求応答メッセージを前記ＵＥに送信する際に使用する下りリソースを限定せず、ネットワーク側機器は、ビーム障害イベントが発生したキャリアに対応するセルにおける下りリソースでビーム障害回復要求応答メッセージを送信してもよいし、前記マルチキャリアシステムにおいてビーム障害イベントが発生したキャリア以外の他のキャリアに対応するセルにおける下りリソースでビーム障害回復要求応答メッセージを送信してもよい。本発明の実施例ではこれについて限定せず、ネットワーク機器から前記ビーム障害回復要求応答メッセージを前記ＵＥに送信できることを準拠とする。
【００５１】
例えば、第１セルがセル群におけるＰｃｅｌｌである場合、ネットワーク側機器は、第１セルにおける下りリソースでビーム障害回復要求応答メッセージを前記ＵＥに送信し、第１セルがセル群におけるＳｃｅｌｌである場合、ビーム障害回復要求応答メッセージを送信する下りリソースが第１セルに設定されているか否かを確認し、ビーム障害回復要求応答メッセージを送信する下りリソースが第１セルに設定されている場合、第１セル内の下りリソースでビーム障害回復要求応答メッセージを前記ＵＥに送信する。ネットワーク側機器は、ビーム障害回復要求応答メッセージを送信する下りリソースが第１セルに設定されていない場合、第１セル所属セル群のＰｃｅｌｌの下りリソースでビーム障害回復要求応答メッセージを前記ＵＥに送信する。
【００５２】
例えば、第１セル所属セル群のＰｃｅｌｌの下りリソースでビーム障害回復要求応答メッセージを前記ＵＥに送信する。
【００５３】
更に、ネットワーク側機器から送信されたビーム障害回復要求応答メッセージをＵＥが受信すると、受信されたビーム障害回復要求応答メッセージに対応するセルが、前記ネットワーク側機器に直近の回で送信されたＢＦＲＱで指示されたセルであることをデフォルトにし、又は、受信されたビーム障害回復要求応答メッセージに対応するセルが、ビーム障害イベントが発生したセルであることをデフォルトにする。又は、上記ネットワーク側機器から前記ＵＥに送信するビーム障害回復要求応答メッセージは、第１指示情報を搬送してもよい。それによって、ＵＥは、ネットワーク側機器から受信すると、ネットワーク側機器から送信されたビーム障害回復要求応答メッセージが対応するセルを第１指示情報に基づいて決定することができる。
【００５４】
更に、ネットワーク側機器から送信されるビーム障害回復要求応答メッセージは、セル無線ネットワーク一時識別Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）に加え、新たな候補ビームへの切り替え、ビーム検索の再開始などの指示のうちの１つ又は複数を搬送する。
【００５５】
上記実施例に係るマルチキャリアシステムにおけるビーム障害回復方法において、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信し、前記ネットワーク側機器からビーム障害回復要求応答メッセージを受信する。ＵＥがネットワーク側機器に送信するビーム障害回復要求には、ビーム障害イベントが発生したキャリアに対応するセルを指示することができる第１指示情報が含まれているので、ネットワーク側機器は、ビーム障害回復要求に含まれる第１指示情報に基づいて、ビーム障害イベントが発生したセルを決定し、更にビーム障害イベントが発生したセルに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【００５６】
任意選択で、上記実施例における第１ビーム障害回復要求メッセージは、前記第１セルでビーム障害イベントが発生した帯域幅部分ＢＷＰ（Ｂａｎｄｗｉｄｔｈ  ｐａｒｔ）を指示するための第２指示情報を更に含む。
【００５７】
これに対応して、ネットワーク側機器は、前記第２指示情報に基づいて、前記第１セルでビーム障害イベントが発生したＢＷＰを決定し、前記第１セルでビーム障害イベントが発生したＢＷＰに基づいて、ビーム障害回復要求応答メッセージを前記ＵＥに送信する。
【００５８】
即ち、ＵＥは、ネットワーク側機器に送信するビーム障害回復要求に、ビーム障害イベントが発生したＢＷＰを搬送してもよい。それによって、ネットワーク側機器は、ビーム障害イベントが発生したセルのうち、具体的にはどのＢＷＰでビーム障害イベントが発生したかを決定し、ビーム障害イベントが発生したＢＷＰに基づいて、ビーム障害回復要求応答メッセージをＵＥに送信する。
【００５９】
任意選択で、前記第２指示情報は、前記第１セルでビーム障害イベントが発生したＢＷＰのインデックス情報である。
【００６０】
例えば、セル群（ｃｅｌｌ  ｇｒｏｕｐ）には８セルがあり、そのうち、１つは、プライマリセルＰＣｅｌｌ（Ｐｒｉｍａｒｙ  Ｃｅｌｌ）であり、他の７つは、セカンダリセルＳＣｅｌｌ（Ｓｅｃｏｎｄａｒｙ  Ｃｅｌｌ）であり、ＳＣｅｌｌのインデックスは、１から７までであり、１セルあたり４ＢＷＰを含み、１セルあたりのＢＷＰのインデックスは、１から４までである。インデックス３のＳｃｅｌｌのインデックス２のＢＷＰでビーム障害イベントが発生すると、ＵＥが報告しているＢＦＲＱに搬送される第１指示情報は、３であり、ＢＦＲＱに搬送される第２指示情報は、２である。
【００６１】
更に、上記実施例においてＵＥがネットワーク側機器に第１ビーム障害回復要求を送信する際に使用する第１リソースについて、以下で説明する。
【００６２】
ＵＥが第１ビーム障害回復要求をネットワーク側機器に送信する際に使用する第１リソースは、ネットワーク側機器からＲＲＣシグナリングによってＵＥに設定される。
【００６３】
任意選択で、前記第１リソースは、前記マルチキャリアシステムの複数のキャリアに対応する複数のセルから形成されるセル群である第１セル群の少なくとも１つのセルにおける上りリソースである。
【００６４】
例えば、前記マルチキャリアシステムの複数のキャリアに対応する複数のセルで形成されるセル群に８セルがあり、そのうち、１つは、Ｐｃｅｌｌであり、他の７セルは、Ｓｃｅｌｌであれば、第１上りリソースを１つのセルに設定し、例えば第１リソースをＰｃｅｌｌに設定し、又は第１リソースをＳｃｅｌｌに設定する。第１上りリソースを２〜７セルに設定してもよく、例えば第１リソースをＰｃｅｌｌ及びそのうちの３Ｓｃｅｌｌに設定する。更に、第１上りリソースを全てのセルに設定してもよく、即ち第１リソースをＰｃｅｌｌ及び７Ｓｃｅｌｌに設定する。
【００６５】
任意選択で、前記第１リソースは、前記マルチキャリアシステムの複数のキャリアに対応する複数のセルから形成されるセル群である第１セル群のうち、物理上り制御チャネルＰＵＣＣＨリソース及び／又は物理ランダムアクセスチャネルＰＲＡＣＨリソースが設定されたセルである設定セルの帯域幅部分ＢＷＰのうち少なくとも１つにおける上りリソースである。
【００６６】
即ち、第１リソースは、前記マルチキャリアシステムの全てのキャリアに対応するセルにおいて物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）リソース及び／又は物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）リソースが設定されたセルのうちの１つ又は複数のＢＷＰに設定される。
【００６７】
例えば、前記マルチキャリアシステムの複数のキャリアに対応する複数のセルで形成されるセル群に８セルがあり、そのうち、１つは、Ｐｃｅｌｌであり、他の７つは、Ｓｃｅｌｌであり、Ｓｃｅｌｌのインデックスが１〜７であり、ＰｃｅｌｌにはＰＵＣＣＨリソースとＰＲＡＣＨリソースが設定され、インデックスが１、２のＳｃｅｌｌにはＰＵＣＣＨリソースが設定され、インデックスが５、７のＳｃｅｌｌにはＰＲＡＣＨリソースが設定されると、第１リソースは、Ｐｃｅｌｌ、インデックスが１、２、５、７のＳｃｅｌｌの１又は複数のＢＷＰに設定される。
【００６８】
上記実施例において、各セルのＢＷＰ毎にビーム障害回復要求を送信する第１リソースを設定する必要がないため、リソースオーバーヘッドを節約することができ、ネットワーク側機器がビーム障害イベントが発生したキャリア情報を正確に知ることを可能にして、ビーム障害回復を行うことができる。
【００６９】
また、以下では、上記実施例における第１リソースにおける指示情報を搬送するシグナリング領域について説明する。
【００７０】
第１の態様では、ＵＥがネットワーク側機器に送信するビーム障害回復要求メッセージに第１指示情報のみを搬送する場合、前記第１リソースは、前記第１指示情報を搬送するための第１シグナリング領域を含む。
【００７１】
即ち、第１リソースには第１指示情報のみが含まれ、ネットワーク側機器は、ＵＥが送信した第１指示情報を含むビーム障害回復要求メッセージを受信すると、第１指示情報に指示されるセルでビーム障害イベントが発生したことをデフォルトにする。
【００７２】
第２の態様では、ＵＥがネットワーク側機器に送信するビーム障害回復要求メッセージに第１指示情報のみを搬送する場合、前記第１リソースは、前記第１指示情報を搬送するための第１シグナリング領域と、ビーム障害イベントが発生したことを指示するための第３指示情報を搬送するための第２シグナリング領域を含む。
【００７３】
ネットワーク側機器は、第１リソースが第１シグナリング領域と第２シグナリング領域とを含む場合、第１シグナリング領域に搬送される第１指示情報に基づいて１つのセルを決定し、第２シグナリング領域に搬送される第３指示情報に基づいてビーム障害イベントが発生したと決定し、それによってビーム障害イベントが発生したセルを決定する。
【００７４】
任意選択的に、上記実施例における第１シグナリング領域及び第２シグナリング領域のうちの少なくとも１つは、予約シグナリング領域である。
【００７５】
即ち、第１シグナリング領域及び／又は第２シグナリング領域は、第１リソースに新たに追加されたシグナリング領域である。
【００７６】
また、第１シグナリング領域及び／又は第２シグナリング領域が予約シグナリング領域である場合、予約シグナリング領域に搬送される指示情報は、独立して符号化し、第１リソースで他の情報と多重化してネットワーク側機器に送信してもよいし、他のシグナリング領域に搬送される情報と共同で符号化してネットワーク側機器に送信してもよい。
【００７７】
任意選択で、前記第１シグナリング領域及び第２シグナリング領域のうちの少なくとも１つは、スケジューリング要求ＳＲ（Ｓｃｈｅｄｕｌｉｎｇ  Ｒｅｑｕｅｓｔ）を搬送するためにも使用される。
【００７８】
即ち、第１シグナリング領域及び／又は第２シグナリング領域のうちの少なくとも１つは、第１リソースに元々含まれている、スケジューリング要求ＳＲを搬送するシグナリング領域である。更に、ビーム障害イベントの指示及び従来技術のスケジューリング要求の指示をサポートするために、スケジューリング要求ＳＲを搬送するシグナリング領域の長さを不変に維持するしてもよいし、ビーム障害イベントの指示及びスケジューリング要求の指示をサポートするために、スケジューリング要求ＳＲを搬送するシグナリング領域のビット長を拡張してもよい。
【００７９】
第３の態様では、ＵＥがネットワーク側機器に送信するビーム障害回復要求メッセージに第１指示情報及び第２指示情報を搬送する場合、前記第１リソースは、前記第１指示情報を搬送するための第１シグナリング領域と、前記第２指示情報を搬送するための第３シグナリング領域を含む。
【００８０】
即ち、第１リソースには第１指示情報及び第２指示情報が含まれ、ネットワーク側機器は、ＵＥが送信した第１指示情報及び第２指示情報を含むビーム障害回復要求メッセージを受信すると、第１指示情報に指示されるセルにおいて第２指示情報に指示されるＢＷＰでビーム障害イベントを発生したことをデフォルトにする。
【００８１】
第４の態様では、ＵＥがネットワーク側機器に送信するビーム障害回復要求メッセージに第１の指示情報及び第２指示情報が含まれている場合、前記第１リソースは、第１シグナリング領域と、第２シグナリング領域と、第３のシグナリング領域とを含む。
前記第１シグナリング領域は、前記第１指示情報を搬送する。前記第２シグナリング領域は、ビーム障害イベントが発生したことを指示するための第３指示情報を搬送する。前記第３シグナリング領域は、前記第２指示情報を搬送する。
【００８２】
ネットワーク側機器は、第１リソースが第１シグナリング領域、第２シグナリング領域及び第３シグナリング領域を含む場合、第１シグナリング領域に搬送される第１指示情報に基づいてセルを決定し、第２シグナリング領域に搬送される第３指示情報に基づいてビーム障害イベントが発生したことを決定し、第３シグナリング領域に搬送される第２指示情報に基づいてＢＷＰを決定し、ビーム障害イベントが発生したセルにおけるＢＷＰを決定する。
【００８３】
任意選択的に、上記実施例における第１シグナリング領域、第２シグナリング領域及び第３シグナリング領域のうちの少なくとも１つは、予約シグナリング領域である。
【００８４】
即ち、前記第１シグナリング領域、第２シグナリング領域及び第３シグナリング領域のうちの少なくとも１つは、第１リソースに新たに追加されたシグナリング領域である。
【００８５】
また、第１リソースに新たに追加されたシグナリング領域は、独立して符号化し、第１のリソースで他の情報と多重化してネットワーク側機器に送信してもよいし、他のシグナリング領域に搬送される情報と共同で符号化してネットワーク側機器に送信してもよい。
【００８６】
任意選択で、前記第１シグナリング領域、第２シグナリング領域、及び第３シグナリング領域のうちの少なくとも１つは、スケジューリング要求ＳＲを搬送するためにも使用される。
【００８７】
即ち、前記第１シグナリング領域、第２シグナリング領域及び第３シグナリング領域のうちの少なくとも１つは、第１リソースにもともと含まれている、スケジューリング要求ＳＲを搬送するシグナリング領域である。更に、ビーム障害イベントの指示及び従来技術のスケジューリング要求の指示をサポートするために、スケジューリング要求ＳＲを搬送するシグナリング領域の長さを不変に維持してもよいし、ビーム障害イベントの指示及びスケジューリング要求の指示をサポートするために、スケジューリング要求ＳＲを搬送するシグナリング領域のビット長を拡張してもよい。
【００８８】
更に、任意選択で、図３に示すように、上記実施例に係るマルチキャリアシステムにおけるビーム障害回復方法は、Ｓ２０１で第１リソースでネットワーク側機器に第１ビーム障害回復要求を送信する前に、更に以下のステップを含む。
【００８９】
Ｓ３０１において、ネットワーク側機器は、前記ＵＥに設定情報を送信する。
【００９０】
それに対応し、ＵＥは、前記ネットワーク側機器から設定情報を受信する。
【００９１】
ここで、前記設定情報は、第２リソースが存在するセル情報及び／又はＢＷＰ情報を含む。該第２リソースは、前記マルチキャリアシステムの各キャリアでビーム障害が発生したかを検出するためにネットワーク側機器から送信されるビーム障害検出基準信号ＢＦＤ  ＲＳのリソースである。
【００９２】
Ｓ３０２において、ＵＥは、前記第２リソースが存在するセル情報及び／又はＢＷＰ情報に基づいて、前記マルチキャリアシステムの各キャリアのＢＦＤ  ＲＳを検出する。
【００９３】
即ち、ネットワーク側機器からＵＥに設定するビーム障害検出基準信号送信用の設定情報には、ＢＦＤ  ＲＳを送信する第２リソースが存在するセル情報及び／又はＢＷＰ情報を更に含む。それによって、前記第２リソースが存在するセル情報及び／又はＢＷＰ情報に基づいて、前記マルチキャリアシステムにおける各キャリアのＢＦＤ  ＲＳを検出する。
【００９４】
（実施例２）
本発明の実施例は、マルチキャリアシステムにおけるビーム障害回復方法を提供し、具体的には、図４に示すように、以下のステップを含む。
【００９５】
Ｓ４０１において、ＵＥは、第１セルに対応するキャリアでビーム障害イベントが発生したと決定し、且つビーム障害回復要求送信のトリガ条件を満たす場合、第１リソースで第１ビーム障害回復要求メッセージをネットワーク側機器に送信する。
【００９６】
これに対応し、ネットワーク側機器は、ＵＥから第１リソースで送信される第１ビーム障害回復要求メッセージを受信する。
【００９７】
ここで、前記第１リソースは、前記第１セルに一義的に対応する。
【００９８】
例えば、ネットワーク側機器は、ビーム障害回復要求を送信するリソースを設定する際に、ビーム障害回復要求を送信するリソースとセルとの対応関係を設定しておく。
【００９９】
Ｓ４０２において、ネットワーク側機器は、前記第１リソースに基づいて前記第１セルを決定する。
【０１００】
Ｓ４０３において、ネットワーク側機器は、前記第１セルに基づいて、ビーム障害回復要求応答メッセージを前記ＵＥに送信する。
【０１０１】
上記実施例に係るマルチキャリアシステムにおけるビーム障害回復方法において、第１セルに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１セルに一義的に対応するため、ネットワーク側機器は、ビーム障害回復要求メッセージを送信した第１リソースに基づいて、ビーム障害イベントが発生したセルを決定し、更にビーム障害イベントが発生したセルに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【０１０２】
任意選択で、図５に示すように、上記実施例に係るマルチキャリアシステムにおけるビーム障害回復方法は、Ｓ４０１で第１リソースでネットワーク側機器に第１ビーム障害回復要求を送信する前に、更に以下のステップを含む。
【０１０３】
Ｓ５０１において、ネットワーク側機器は、前記ＵＥに設定情報を送信する。
【０１０４】
それに対応し、ＵＥは、前記ネットワーク側機器から設定情報を受信する。
【０１０５】
ここで、前記設定情報は、第２リソースが存在するセル情報及び／又はＢＷＰ情報を含む。該第２リソースは、前記マルチキャリアシステムの各キャリアでビーム障害が発生したかを検出するためにネットワーク側機器から送信されるビーム障害検出基準信号ＢＦＤ  ＲＳのリソースである。
【０１０６】
Ｓ５０２において、ＵＥは、前記第２リソースが存在するセル情報及び／又はＢＷＰ情報に基づいて、前記マルチキャリアシステムの各キャリアのＢＦＤ  ＲＳを検出する。
【０１０７】
即ち、ネットワーク側機器からＵＥに設定するビーム障害検出基準信号送信用の設定情報には、ＢＦＤ  ＲＳを送信する第２リソースが存在するセル情報及び／又はＢＷＰ情報を更に含み、それによって、前記第２リソースが存在するセル情報及び／又はＢＷＰ情報に基づいて、前記マルチキャリアシステムにおける各キャリアのＢＦＤ  ＲＳを検出する。
【０１０８】
（実施例３）
本発明の実施例は、マルチキャリアシステムにおけるビーム障害回復方法を提供し、具体的には、図６に示すように、以下のステップを含む。
【０１０９】
Ｓ６０１において、ＵＥは、第１ＢＷＰに対応するキャリアでビーム障害イベントが発生したと決定し、且つビーム障害回復要求送信のトリガ条件を満たす場合、第１リソースで第１ビーム障害回復要求メッセージをネットワーク側機器に送信する。
【０１１０】
これに対応し、ネットワーク側機器は、ＵＥから第１リソースで送信される第１ビーム障害回復要求メッセージを受信する。
【０１１１】
ここで、前記第１リソースは、前記第１ＢＷＰに一義的に対応する。
【０１１２】
例えば、ネットワーク側機器は、ビーム障害回復要求を送信するリソースを設定する際に、ビーム障害回復要求を送信するリソースと各セルの各ＢＷＰとの対応関係を設定しておく。
【０１１３】
Ｓ６０２において、ネットワーク側機器は、前記第１リソースに基づいて前記第１ＢＷＰを決定する。
【０１１４】
Ｓ６０３において、ネットワーク側機器は、前記第１ＢＷＰに基づいて、ビーム障害回復要求応答メッセージを前記ＵＥに送信する。
【０１１５】
なお、マルチキャリアシステムにおいて、いずれかのＢＷＰが属するセルは、ネットワーク側機器がＵＥに設定されるものである。従って、ネットワーク側機器は、ＵＥが第１リソースで送信する第１ビーム障害回復要求メッセージを受信すると、まず、第１リソースに基づいて、ビーム障害イベントが発生するＢＷＰを決定し、次に、ＵＥに送信する設定情報に基づいて、ビーム障害イベントが発生するＢＷＰが属するセルを決定することができる。従って、上記実施例において、ネットワーク側機器は、ビーム障害イベントが発生するＢＷＰ、及び、ビーム障害イベントが発生するＢＷＰが属するセルを決定することができる。
【０１１６】
上記実施例に係るマルチキャリアシステムにおけるビーム障害回復方法において、第１ＢＷＰに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１ＢＷＰに一義的に対応するため、ネットワーク側機器は、ビーム障害回復要求メッセージを送信した第１リソースに基づいて、ビーム障害イベントが発生したＢＷＰを決定し、更にビーム障害イベントが発生した第１ＢＷＰに基づいて、ビーム障害回復要求応答メッセージをＵＥに送信する。従って、本発明の実施例に係るマルチキャリアシステムにおけるビーム障害回復方法は、マルチキャリアシステムのキャリアでビーム障害が発生した場合に、従来技術におけるビーム障害回復メカニズムではビーム障害回復を行うことができないという問題を解決することができる。
【０１１７】
任意選択で、図７に示すように、上記実施例に係るマルチキャリアシステムにおけるビーム障害回復方法は、Ｓ６０１で第１リソースでネットワーク側機器に第１ビーム障害回復要求を送信する前に、更に以下のステップを含む。
【０１１８】
Ｓ７０１において、ネットワーク側機器は、前記ＵＥに設定情報を送信する。
【０１１９】
それに対応し、ＵＥは、前記ネットワーク側機器から設定情報を受信する。
【０１２０】
ここで、前記設定情報は、第２リソースが存在するセル情報及び／又はＢＷＰ情報を含む。該第２リソースは、前記マルチキャリアシステムの各キャリアでビーム障害が発生したかを検出するためにネットワーク側機器から送信されるビーム障害検出基準信号ＢＦＤ  ＲＳのリソースである。
【０１２１】
Ｓ７０２において、ＵＥは、前記第２リソースが存在するセル情報及び／又はＢＷＰ情報に基づいて、前記マルチキャリアシステムの各キャリアのＢＦＤ  ＲＳを検出する。
【０１２２】
即ち、ネットワーク側機器からＵＥに設定するビーム障害検出基準信号送信用の設定情報には、ＢＦＤ  ＲＳを送信する第２リソースが存在するセル情報及び／又はＢＷＰ情報を更に含み、それによって、前記第２リソースが存在するセル情報及び／又はＢＷＰ情報に基づいて、前記マルチキャリアシステムにおける各キャリアのＢＦＤ  ＲＳを検出する。
【０１２３】
（実施例４）
本発明の実施例は、ＵＥに応用されるシングルキャリアシステムにおけるビーム障害回復方法を更に提供する。前記方法において、第１ＢＷＰに対応するキャリアでビーム障害イベントが発生したと決定し、且つビーム障害回復要求送信のトリガ条件を満たす場合、前記第１ＢＷＰを指示するための第１指示情報を含む第１ビーム障害回復要求メッセージを第１リソースでネットワーク側機器に送信することと、前記ネットワーク側機器からビーム障害回復要求応答メッセージを受信することとを含む。
【０１２４】
本発明の実施例は、ネットワーク側機器に応用されるシングルキャリアシステムにおけるビーム障害回復方法を更に提供する。前記方法において、ＵＥから第１リソースで送信された第１ビーム障害回復要求メッセージであって、ビーム障害イベントが発生したＢＷＰである第１ＢＷＰを指示するための第１指示情報を含む前記第１ビーム障害回復要求メッセージを受信することと、前記第１指示情報に基づいて前記第１ＢＷＰを決定し、前記第１ＢＷＰに基づいて、ビーム障害回復要求応答メッセージを前記ＵＥに送信することとを含む。
【０１２５】
上記実施例において、第１ＢＷＰに対応するキャリアでビーム障害イベントが発生したと決定し、且つビーム障害回復要求送信のトリガ条件を満たす場合、第１ビーム障害回復要求メッセージを第１リソースでネットワーク側機器に送信し、前記ネットワーク側機器からビーム障害回復要求応答メッセージを受信する。ＵＥがネットワーク側機器に送信するビーム障害回復要求に、ビーム障害イベントが発生したＢＷＰを指示することができる第１指示情報を含むので、ネットワーク側機器は、ビーム障害回復要求に含まれる第１指示情報に基づいて、ビーム障害イベントが発生したＢＷＰを決定し、更にビーム障害イベントが発生したＢＷＰに基づいて、ビーム障害回復要求応答メッセージをＵＥに送信する。従って、本発明の実施例に係るマルチキャリアシステムにおけるビーム障害回復方法は、従来技術におけるビーム障害回復メカニズムではセルの中でビーム障害イベントが発生したＢＷＰを決定することができないという問題を解決することができる。
【０１２６】
（実施例５）
本発明の実施例は、ＵＥを提供する。図８に示すように、該ＵＥは、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信する送信ユニット８１と、前記ネットワーク側機器からビーム障害回復要求応答メッセージを受信する受信ユニット８２とを含む。
【０１２７】
任意選択で、前記第１ビーム障害回復要求メッセージは、前記第１セルでビーム障害イベントが発生したＢＷＰを指示するための第２指示情報を更に含む。
【０１２８】
任意選択で、前記第１指示情報は、前記第１セルのインデックス情報である。
【０１２９】
任意選択で、前記第２指示情報は、前記第１セルでビーム障害イベントが発生したＢＷＰのインデックス情報である。
【０１３０】
任意選択で、前記第１リソースは、前記マルチキャリアシステムの複数のキャリアに対応する複数のセルから形成されるセル群である第１セル群の少なくとも１つのセルにおける上りリソースである。
【０１３１】
任意選択で、前記第１リソースは、前記マルチキャリアシステムの複数のキャリアに対応する複数のセルから形成されるセル群である第１セル群のうち、物理上り制御チャネルＰＵＣＣＨリソース及び／又は物理ランダムアクセスチャネルＰＲＡＣＨリソースが設定されたセルである設定セルの帯域幅部分ＢＷＰのうち少なくとも１つにおける上りリソースである。
【０１３２】
任意選択で、前記第１リソースは、前記第１指示情報を搬送するための第１シグナリング領域を含み、又は、前記第１リソースは、前記第１指示情報を搬送するための第１シグナリング領域と、ビーム障害イベントが発生したことを指示するための第３指示情報を搬送するための第２シグナリング領域を含む。
【０１３３】
任意選択で、前記第１リソースは、前記第１指示情報を搬送するための第１シグナリング領域と、前記第２指示情報を搬送するための第３シグナリング領域を含み、又は、前記第１リソースは、前記第１指示情報を搬送するための第１シグナリング領域と、ビーム障害イベントが発生したことを指示するための第３指示情報を搬送するための第２シグナリング領域と、前記第２指示情報を搬送するための第３シグナリング領域を含む。
【０１３４】
任意選択で、前記第１シグナリング領域、第２シグナリング領域及び第３シグナリング領域のうちの少なくとも１つは、予約シグナリング領域である。
【０１３５】
任意選択で、前記第１シグナリング領域、第２シグナリング領域及び第３シグナリング領域のうちの少なくとも１つは、スケジューリング要求ＳＲを搬送するためにも使用される。
【０１３６】
任意選択で、前記ＵＥは、検出ユニットを更に含む。前記受信ユニットは、設定情報を前記ネットワーク側機器から受信する。該設定情報は、第２リソースが存在するセル情報及び／又はＢＷＰ情報を含む。該第２リソースは、前記マルチキャリアシステムの各キャリアでビーム障害が発生したかを検出するためにネットワーク側機器から送信されるビーム障害検出基準信号ＢＦＤ  ＲＳのリソースである。前記検出ユニットは、前記第２リソースが存在するセル情報及び／又はＢＷＰ情報に基づいて、前記マルチキャリアシステムの各キャリアのＢＦＤ  ＲＳを検出する。
【０１３７】
本開示の実施例に係るＵＥは、上記方法実施例で図２で示される各ステップを実現することができ、重複を避けるために、ここでは繰り返して述べない。
【０１３８】
本開示の実施例に係るＵＥは、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信し、前記ネットワーク側機器からビーム障害回復要求応答メッセージを受信する。ＵＥがネットワーク側機器に送信するビーム障害回復要求には、ビーム障害イベントが発生したキャリアに対応するセルを指示することができる第１指示情報が含まれているので、ネットワーク側機器は、ビーム障害回復要求に含まれる第１指示情報に基づいて、ビーム障害イベントが発生したセルを決定し、更にビーム障害イベントが発生したセルに基づいて、ビーム障害回復要求応答メッセージをＵＥに送信する。従って、本発明の実施例に係るＵＥは、マルチキャリアシステムのキャリアでビーム障害が発生した場合に、従来技術におけるビーム障害回復メカニズムではビーム障害回復を行うことができないという問題を解決することができる。
【０１３９】
本発明の実施例は、ＵＥを提供する。図８に示すように、該ＵＥは、第１セルに対応するキャリアでビーム障害イベントが発生したと決定し、且つビーム障害回復要求送信のトリガ条件を満たす場合、前記第１セルに一義的に対応する第１リソースで第１ビーム障害回復要求メッセージをネットワーク側機器に送信する送信ユニット８１と、前記ネットワーク側機器からビーム障害回復要求応答メッセージを受信する受信ユニット８２とを含む。
【０１４０】
任意選択で、前記ＵＥは、検出ユニットを更に含む。前記受信ユニットは、設定情報を前記ネットワーク側機器から受信する。該設定情報は、第２リソースが存在するセル情報及び／又はＢＷＰ情報を含む。前記第２リソースは、前記マルチキャリアシステムの各キャリアでビーム障害が発生したかを検出するためにネットワーク側機器から送信されるビーム障害検出基準信号ＢＦＤ  ＲＳのリソースである。前記検出ユニットは、前記第２リソースが存在するセル情報及び／又はＢＷＰ情報に基づいて、前記マルチキャリアシステムの各キャリアのＢＦＤ  ＲＳを検出する。
【０１４１】
上記実施例に係るＵＥは、第１セルに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１セルに一義的に対応するため、ネットワーク側機器は、ビーム障害回復要求メッセージを送信した第１リソースに基づいて、ビーム障害イベントが発生したセルを決定し、更にビーム障害イベントが発生したセルに基づいて、ビーム障害回復要求応答メッセージをＵＥに送信する。従って、本発明の実施例に係るＵＥは、マルチキャリアシステムのキャリアでビーム障害が発生した場合に、従来技術におけるビーム障害回復メカニズムではビーム障害回復を行うことができないという問題を解決することができる。
【０１４２】
本発明の実施例は、ＵＥを提供する。図８に示すように、該ＵＥは、第１ＢＷＰに対応するキャリアでビーム障害イベントが発生したと決定し、且つビーム障害回復要求送信のトリガ条件を満たす場合、前記第１ＢＷＰに一義的に対応する第１リソースで第１ビーム障害回復要求メッセージをネットワーク側機器に送信する送信ユニット８１と、前記ネットワーク側機器からビーム障害回復要求応答メッセージを受信する受信ユニット８２とを含む。
【０１４３】
任意選択で、前記ＵＥは、検出ユニットを更に含む。前記受信ユニットは、設定情報を前記ネットワーク側機器から受信する。該設定情報は、第２リソースが存在するセル情報及び／又はＢＷＰ情報を含む。前記第２リソースは、前記マルチキャリアシステムの各キャリアでビーム障害が発生したかを検出するためにネットワーク側機器から送信されるビーム障害検出基準信号ＢＦＤ  ＲＳのリソースである。前記検出ユニットは、前記第２リソースが存在するセル情報及び／又はＢＷＰ情報に基づいて、前記マルチキャリアシステムの各キャリアのＢＦＤ  ＲＳを検出する。
【０１４４】
上記実施例に係るＵＥは、第１ＢＷＰに対応するキャリアでビーム障害イベントが発生したと決定し、且つビーム障害回復要求送信のトリガ条件を満たす場合、第１リソースで第１ビーム障害回復要求メッセージをネットワーク側機器に送信し、前記ネットワーク側機器からビーム障害回復要求応答メッセージを受信する。ここで、第１リソースが前記第１ＢＷＰに一義的に対応するため、ネットワーク側機器は、ビーム障害回復要求メッセージを送信した第１リソースに基づいて、ビーム障害イベントが発生したＢＷＰを決定し、更にビーム障害イベントが発生した第１ＢＷＰに基づいて、ビーム障害回復要求応答メッセージをＵＥに送信する。従って、本発明の実施例に係るＵＥは、マルチキャリアシステムのキャリアでビーム障害が発生した場合に、従来技術におけるビーム障害回復メカニズムではビーム障害回復を行うことができないという問題を解決することができる。
【０１４５】
図９は、本開示の実施例を実現するＵＥのハードウェア構造図である。該ＵＥ１００は、ラジオ周波数ユニット１０１と、ネットワークモジュール１０２と、音声出力ユニット１０３と、入力ユニット１０４と、センサ１０５と、表示ユニット１０６と、ユーザ入力ユニット１０７と、インタフェースユニット１０８と、メモリ１０９と、プロセッサ１１０と、電源１１１などの構成要素を含むが、それらに限定されない。図９に示されるＵＥの構造は、ＵＥを限定するものではなく、ＵＥは、図示されるよりも多い又は少ない構成要素を含むことができ、又は特定の構成要素を組み合わせることができ、又は異なる構成要素の構成を含むことができることを、当業者は理解可能である。本開示の実施例において、ＵＥは、携帯電話、タブレットパソコン、ノートパソコン、パームトップパソコン、車載端末、ウェアラブルデバイス及び歩数計などを含むが、それらに限定されない。
【０１４６】
ここで、ラジオ周波数ユニット１０１は、第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信し、前記ネットワーク側機器からビーム障害回復要求応答メッセージを受信する。又は、ラジオ周波数ユニット１０１は、第１セルに対応するキャリアでビーム障害イベントが発生したと決定し、且つビーム障害回復要求送信のトリガ条件を満たす場合、前記第１セルに一義的に対応する第１リソースで第１ビーム障害回復要求メッセージをネットワーク側機器に送信し、前記ネットワーク側機器からビーム障害回復要求応答メッセージを受信する。又は、ラジオ周波数ユニット１０１は、第１ＢＷＰに対応するキャリアでビーム障害イベントが発生したと決定し、且つビーム障害回復要求送信のトリガ条件を満たす場合、前記第１ＢＷＰに一義的に対応する第１リソースで第１ビーム障害回復要求メッセージをネットワーク側機器に送信し、前記ネットワーク側機器からビーム障害回復要求応答メッセージを受信する。
【０１４７】
なお、本開示の実施例において、ラジオ周波数ユニット１０１は、情報の送受信又は通話中で信号の送受信に用いられ、具体的に、基地局からの下りデータを受信した後、プロセッサ１１０による処理に供し、また、上りデータを基地局に送信する。一般に、ラジオ周波数ユニット１０１は、アンテナ、少なくとも１つの増幅器、トランシーバ、結合器、低雑音増幅器、デュプレクサなどを含むが、それらに限定されない。また、ラジオ周波数ユニット１０１は、無線通信システムを介してネットワークや他の機器と通信を行うこともできる。
【０１４８】
ＵＥは、ネットワークモジュール１０２を介して、電子メールの送受信、ウェブページの閲覧、ストリーミングメディアへのアクセスをサポートするなど、無線ブロードバンドインターネットアクセスをユーザに提供する。
【０１４９】
音声出力ユニット１０３は、ラジオ周波数ユニット１０１やネットワークモジュール１０２が受信した音声データや、メモリ１０９に記憶された音声データを音声信号に変換して音声として出力することができる。また、音声出力ユニット１０３は、ＵＥ１００が実行する特定の機能に関する音声（例えば、呼出信号着信音、メッセージ着信音等）を出力してもよい。音声出力ユニット１０３は、スピーカ、ブザー及びレシーバなどを含む。
【０１５０】
入力ユニット１０４は、音声や映像の信号を受信することに用いられる。入力ユニット１０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１０４１と、マイク１０４２とを含む。処理された画像フレームは、表示ユニット１０６上に表示される。グラフィックスプロセッサ１０４１で処理された画像フレームは、メモリ１０９（又は他の記憶媒体）に記憶されるか、又はラジオ周波数ユニット１０１又はネットワークモジュール１０２を介して送信される。マイク１０４２は、音声を受信し、音声データに加工することができる。処理された音声データは、電話通話モードの場合、ラジオ周波数ユニット１０１を介して移動体通信基地局に送信可能な形式に変換して出力することができる。
【０１５１】
ＵＥ１００は、光センサ、モーションセンサ及び他のセンサのような少なくとも１つのセンサ１０５を更に含む。具体的には、光センサは、周辺光センサ及び近接センサを含む。周辺光センサは、周辺光の明暗に応じて表示パネル１０６１の輝度を調節し、近接センサは、ＵＥ１００が耳に移動したときに表示パネル１０６１及び／又はバックライトを消灯する。モーションセンサの１種として、加速度計センサは、様々な方向（一般的には３軸）の加速度の大きさを検出でき、静止時は重力の大きさ及び方向を検出でき、ＵＥ姿勢の認識（例えば、縦横スクリーン切替、関連ゲーム、磁力計姿勢キャリブレーション）、振動認識関連機能（たとえば、歩数計、ストローク）などに用いることができる。センサ１０５は、指紋センサ、圧力センサ、虹彩センサ、分子センサ、ジャイロスコープ、気圧計、湿度計、温度計、赤外線センサなどを更に含むことができるが、ここでは枚挙しない。
【０１５２】
表示ユニット１０６は、ユーザが入力した情報やユーザに提供した情報を表示するために用いられる。表示ユニット１０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１０６１を含んでもよい。
【０１５３】
ユーザ入力ユニット１０７は、数字や文字情報の入力を受け付け、ユーザによるＵＥの設定や機能制御に関するキー信号の入力を行うことに用いられる。具体的に、ユーザ入力ユニット１０７は、タッチスクリーン１０７１と、その他の入力機器１０７２とを含む。タッチスクリーン１０７１は、タッチスクリーンとも呼ばれ、その上又は付近でのユーザのタッチ操作を取得可能である（たとえばユーザが指やスタイラスなどの任意の適切な物体や付属部材を用いたタッチスクリーン１０７１の上又はタッチスクリーン１０７１の付近での操作）。タッチスクリーン１０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１１０に送り、プロセッサ１１０からの命令を受信して実行する。なお、タッチスクリーン１０７１は、抵抗膜式、静電容量式、赤外線、表面弾性波など、種々の方式を用いて実現することができる。ユーザ入力ユニット１０７は、タッチスクリーン１０７１の他に、他の入力機器１０７２を含んでもよい。具体的に、他の入力機器１０７２は、物理的なキーボード、機能キー（例えば、音量調節キー、スイッチキーなど）、トラックボール、マウス、レバーを含むが、ここでは枚挙しない。
【０１５４】
更に、タッチスクリーン１０７１は、表示パネル１０６１に重ねられる。タッチスクリーン１０７１は、その上又はその近くでタッチ操作を検出すると、プロセッサ１１０に送信して、タッチイベントのタイプを決定する。次いで、プロセッサ１１０は、タッチイベントのタイプに応じて、対応する視覚的出力を表示パネル１０６１に提供する。図９では、タッチスクリーン１０７１と表示パネル１０６１は、独立した２つの部品としてＵＥの入出力機能を実現するが、実施例によっては、タッチスクリーン１０７１と表示パネル１０６１を一体化してＵＥの入出力機能を実現することもでき、具体的にここでは限定しない。
【０１５５】
インタフェースユニット１０８は、外部装置とＵＥ１００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１０８は、外部装置から入力（たとえば、データ情報、電力など）を受信し、受信した入力をＵＥ１００内の１つ以上のユニットに伝送するために使用されてもよく、又はＵＥ１００と外部装置との間でデータを伝送するために使用されてもよい。
【０１５６】
メモリ１０９は、ソフトウェアプログラム及び様々なデータを格納するために使用される。メモリ１０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１０９は、快速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１５７】
プロセッサ１１０は、ＵＥの制御センタであり、各種インタフェースや回線を用いてＵＥ全体の各部を接続し、メモリ１０９に格納されたソフトウェアプログラム及び／又はモジュールを実行、メモリ１０９に格納されたデータを呼び出してＵＥの各種機能及び処理データを実行し、ＵＥ全体の監視を行う。プロセッサ１１０は、１つ以上の処理ユニットを含んでもよい。任意選択で、プロセッサ１１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１１０に統合されなくてもよいことが理解される。
【０１５８】
ＵＥ１００は、各構成要素に電力を供給するためのバッテリのような電源１１１を更に含んでもよい。任意選択で、電源１１１は、電源管理システムを介してプロセッサ１１０に論理的に接続されてもよく、電源管理システムを介して充電、放電、及び消費電力管理などを管理する機能を実現してもよい。
【０１５９】
また、ＵＥ１００は、図示しない機能モジュールを更に含んでもよく、ここでの説明は省略する。
【０１６０】
（実施例６）
本発明の実施例は、ネットワーク側機器を提供する。具体的には、図１０に示すように、該ネットワーク側機器は、ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信する受信ユニット２１と、前記第１指示情報に基づいて前記第１セルを決定する処理ユニット２２と、前記第１セルに基づいて、ビーム障害回復要求応答メッセージを前記ＵＥに送信する送信ユニット２３とを含む。
【０１６１】
任意選択で、前記第１ビーム障害回復要求メッセージは、前記第１セルでビーム障害イベントが発生したＢＷＰを指示するための第２指示情報を更に含み、前記処理ユニット２２は、更に、前記第２指示情報に基づいて、前記第１セルでビーム障害イベントが発生したＢＷＰを決定する。前記送信ユニット２３は、更に、前記第１セルでビーム障害イベントが発生したＢＷＰに基づいて、ビーム障害回復要求応答メッセージを前記ＵＥに送信する。
【０１６２】
任意選択で、前記送信ユニットは、更に、第２リソースが存在するセル情報及び／又はＢＷＰ情報を含む設定情報を前記ＵＥに送信する。前記第２リソースは、前記マルチキャリアシステムの各キャリアでビーム障害が発生したかを検出するためにネットワーク側機器から送信されるビーム障害検出基準信号ＢＦＤ  ＲＳのリソースである。
【０１６３】
本発明のもう１つの実施例は、ネットワーク側機器を提供する。具体的には、図１０に示すように、該ネットワーク側機器は、ＵＥから、ビーム障害イベントが発生したキャリアに対応するセルである第１セルに一義的に対応する第１リソースで送信された第１ビーム障害回復要求メッセージを受信する受信ユニット２１と、前記第１リソースに基づいて前記第１セルを決定する処理ユニット２２と、前記第１セルに基づいて、ビーム障害回復要求応答メッセージを前記ＵＥに送信する送信ユニット２３とを含む。
【０１６４】
任意選択で、前記送信ユニット２３は、更に、第２リソースが存在するセル情報及び／又はＢＷＰ情報を含む設定情報を前記ＵＥに送信する。前記第２リソースは、前記マルチキャリアシステムの各キャリアでビーム障害が発生したかを検出するためにネットワーク側機器から送信されるビーム障害検出基準信号ＢＦＤ  ＲＳのリソースである。
【０１６５】
本発明のもう１つの実施例は、ネットワーク側機器を提供する。具体的には、図１０に示すように、該ネットワーク側機器は、ＵＥから、第１ＢＷＰに一義的に対応する第１リソースで送信された第１ビーム障害回復要求メッセージを受信する受信ユニット２１と、前記第１リソースに基づいて前記第１ＢＷＰを決定する処理ユニット２２と、前記第１ＢＷＰに基づいて、ビーム障害回復要求応答メッセージを前記ＵＥに送信する送信ユニット２３とを含む。
【０１６６】
任意選択で、前記送信ユニット２３は、更に、第２リソースが存在するセル情報及び／又はＢＷＰ情報を含む設定情報を前記ＵＥに送信する。前記第２リソースは、前記マルチキャリアシステムの各キャリアでビーム障害が発生したかを検出するためにネットワーク側機器から送信されるビーム障害検出基準信号ＢＦＤ  ＲＳのリソースである。
【０１６７】
本発明の実施例は、ネットワーク側機器を更に提供する。図１１に示すように、該ネットワーク側機器は、プロセッサ１２１と、メモリ１２２と、メモリ１２２に格納されてプロセッサ１２１で動作可能なコンピュータプログラムを含む。該コンピュータプログラムがプロセッサ１２１によって実行されると、上記実施例１、実施例２、実施例３に示すマルチキャリアシステムにおけるビーム障害回復方法でネットワーク側機器によって実行されるステップを実行し、同じ効果を奏することもできるので、重複を避けるために、ここでは繰り返して述べない。
【０１６８】
（実施例７）
本開示の実施例は、コンピュータプログラムが格納されているコンピュータ読み取り可能な記憶媒体を更に提供する。該コンピュータプログラムがプロセッサによって実行されると、上記実施例１、実施例２、実施例３に示すマルチキャリアシステムにおけるビーム障害回復方法で複数のプロセスを実現することができ、同じ効果を奏することもできるので、重複を避けるために、ここでは繰り返して述べない。ここで、コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１６９】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含み、又はこのようなプロセス、方法、モノ又は装置に固有のユニットを更に含む。特に限定されない限り、「…を１つ含む」の表現によって限定されるユニットについて、当該ユニットを含むプロセス、方法、モノ又は装置に他の同一ユニットの存在を除外しない。
【０１７０】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバー、空調機又はネットワーク側機器など）に実行させるいくつかの指令を含む。
【０１７１】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021524196.tif 000003
【図２】
2021524196.tif 000004
【図３】
2021524196.tif 000005
【図４】
2021524196.tif 000006
【図５】
2021524196.tif 000007
【図６】
2021524196.tif 000008
【図７】
2021524196.tif 000009
【図８】
2021524196.tif 000010
【図９】
2021524196.tif 000011
【図１０】
2021524196.tif 000012
【図１１】
2021524196.tif 000013
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ユーザ機器ＵＥに応用されるマルチキャリアシステムにおけるビーム障害回復方法であって、
第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信することと、
前記ネットワーク側機器からビーム障害回復要求応答メッセージを受信することとを含む、マルチキャリアシステムにおけるビーム障害回復方法。
【請求項２】
前記第１指示情報は、前記第１セルのインデックス情報である、請求項１に記載のビーム障害回復方法。
【請求項３】
前記第１リソースは、前記マルチキャリアシステムの複数のキャリアに対応する複数のセルから形成されるセル群である第１セル群の少なくとも１つのセルにおける上りリソースである、請求項１に記載のビーム障害回復方法。
【請求項４】
前記第１リソースは、前記第１指示情報を搬送するための第１シグナリング領域を含み、
又は、
前記第１リソースは、前記第１指示情報を搬送するための第１シグナリング領域と、ビーム障害イベントが発生したことを指示するための第３指示情報を搬送するための第２シグナリング領域を含む、請求項１に記載のビーム障害回復方法。
【請求項５】
第１リソースでネットワーク側機器に第１ビーム障害回復要求を送信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ネットワーク側機器から受信することと、
前記第２リソースが存在するセル情報及び／又はＢＷＰ情報に基づいて、前記マルチキャリアシステムの各キャリアのＢＦＤ  ＲＳを検出することとを更に含む、請求項１〜４のいずれか一項に記載のビーム障害回復方法。
【請求項６】
ネットワーク側機器に応用されるマルチキャリアシステムにおけるビーム障害回復方法であって、
ユーザ機器ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信することと、
前記第１指示情報に基づいて前記第１セルを決定し、前記第１セルに基づいて、ビーム障害回復要求応答メッセージを前記ユーザ機器ＵＥに送信することとを含む、マルチキャリアシステムにおけるビーム障害回復方法。
【請求項７】
前記第１ビーム障害回復要求メッセージは、前記第１セルでビーム障害イベントが発生した帯域幅部分ＢＷＰを指示するための第２指示情報を更に含み、
前記第２指示情報に基づいて、前記第１セルでビーム障害イベントが発生したＢＷＰを決定することと、
前記第１セルでビーム障害イベントが発生したＢＷＰに基づいて、ビーム障害回復要求応答メッセージを前記ユーザ機器ＵＥに送信することとを更に含む、請求項６に記載のビーム障害回復方法。
【請求項８】
ユーザ機器ＵＥから第１リソースで送信された第１ビーム障害回復要求を受信する前に、
前記マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ユーザ機器ＵＥに送信することを更に含む、請求項６又は７に記載のビーム障害回復方法。
【請求項９】
第１セルに対応するキャリアでビーム障害イベントが発生したと決定し、且つビーム障害回復要求送信のトリガ条件を満たす場合、前記第１セルを指示するための第１指示情報を含む第１ビーム障害回復要求メッセージを第１リソースでネットワーク側機器に送信する送信ユニットと、
前記ネットワーク側機器からビーム障害回復要求応答メッセージを受信する受信ユニットとを含む、ユーザ機器ＵＥ。
【請求項１０】
前記第１指示情報は、前記第１セルのインデックス情報である、請求項９に記載のユーザ機器ＵＥ。
【請求項１１】
前記第１リソースは、マルチキャリアシステムの複数のキャリアに対応する複数のセルから形成されるセル群である第１セル群の少なくとも１つのセルにおける上りリソースである、請求項９に記載のユーザ機器ＵＥ。
【請求項１２】
前記第１リソースは、前記第１指示情報を搬送するための第１シグナリング領域を含み、
又は、
前記第１リソースは、前記第１指示情報を搬送するための第１シグナリング領域と、ビーム障害イベントが発生したことを指示するための第３指示情報を搬送するための第２シグナリング領域を含む、請求項９に記載のユーザ機器ＵＥ。
【請求項１３】
前記受信ユニットは、前記送信ユニットが第１リソースでネットワーク側機器に第１ビーム障害回復要求を送信する前に、マルチキャリアシステムの各キャリアでビーム障害が発生したかを検出するためにネットワーク側機器から送信されるビーム障害検出基準信号ＢＦＤ  ＲＳのリソースである第２リソースが存在するセル情報及び／又はＢＷＰ情報を含む設定情報を前記ネットワーク側機器から受信し、
前記第２リソースが存在するセル情報及び／又はＢＷＰ情報に基づいて、前記マルチキャリアシステムの各キャリアのＢＦＤ  ＲＳを検出する検出ユニットを更に含む、請求項９〜１２のいずれか一項に記載のユーザ機器ＵＥ。
【請求項１４】
ユーザ機器ＵＥから第１リソースで送信された第１ビーム障害回復要求メッセージであって、ビーム障害イベントが発生したキャリアに対応するセルである第１セルを指示するための第１指示情報を含む前記第１ビーム障害回復要求メッセージを受信する受信ユニットと、
前記第１指示情報に基づいて前記第１セルを決定する処理ユニットと、
前記第１セルに基づいて、ビーム障害回復要求応答メッセージを前記ユーザ機器ＵＥに送信する送信ユニットとを含む、ネットワーク側機器。
【請求項１５】
前記第１ビーム障害回復要求メッセージは、前記第１セルでビーム障害イベントが発生した帯域幅部分ＢＷＰを指示するための第２指示情報を更に含み、
前記処理ユニットは、前記第２指示情報に基づいて、前記第１セルでビーム障害イベントが発生したＢＷＰを決定し、
前記送信ユニットは、前記第１セルでビーム障害イベントが発生したＢＷＰに基づいて、ビーム障害回復要求応答メッセージを前記ユーザ機器ＵＥに送信する、請求項１４にネットワーク側機器。
【国際調査報告】
2021524196.tif 000014
2021524196.tif 000015
2021524196.tif 000016
2021524196.tif 000017